(57)【要約】  鉄道車両の走行装置１０は、前輪セット１４及び後輪セット１６を備え、各セットには、左輪１８Ｌ、２０Ｌ及び右輪１８Ｒ、２０Ｒが備えられている。受動液圧車輪セットステアリングシステム２６は、中央横鉛直面１００に対して接近及び離遠する車輪のそれぞれの動きを変換する液圧機械変換器２８Ｌ、２８Ｒ、３０Ｌ、３０Ｒに液圧接続された制御弁３２を備える。制御弁３２は、左前部液圧機械変換器アセンブリ及び右前部液圧機械変換器アセンブリが左後部液圧機械変換器アセンブリ及び右後部液圧機械変換器アセンブリから接続解除される第１の位置と、左前部液圧機械変換器アセンブリ及び右前部液圧機械変換器アセンブリのそれぞれが左後部液圧機械変換器アセンブリ及び右後部液圧機械変換器アセンブリのうちの少なくともそれぞれ一方に接続される第２の位置との間で移動可能である。【選択図】図２
2018534194.tif 000002
【特許請求の範囲】
【請求項１】
鉄道車両の走行装置（１０）であって、
該走行装置（１０）の中央横鉛直面（１００）の前側及び後側にそれぞれ前輪セット（１４）及び後輪セット（１６）を含む少なくとも一対の車輪セット（１４、１６）であって、前記前輪セット（１４）及び前記後輪セット（１６）のそれぞれは、該走行装置（１０）の中央縦鉛直面（２００）の左側及び右側にそれぞれ左輪（１８Ｌ、２０Ｌ）及び右輪（１８Ｒ、２０Ｒ）を有する、一対の車輪セットと、
前記中央横鉛直面（１００）に対して接近及び離遠する前記前輪セット（１４）の前記左輪（１８Ｌ）の動きの液圧エネルギーへの変換及びその逆の変換を行う左前部液圧機械変換器アセンブリ（２８Ｌ）と、前記中央横鉛直面（１００）に対して接近及び離遠する前記前輪セット（１４）の前記右輪（１８Ｒ）の動きの液圧エネルギーへの変換及びその逆の変換を行う右前部液圧機械変換器アセンブリ（２８Ｒ）と、前記中央横鉛直面（１００）に対して接近及び離遠する前記後輪セット（１６）の前記左輪（２０Ｌ）の動きの液圧エネルギーへの変換及びその逆の変換を行う左後部液圧機械変換器アセンブリ（３０Ｌ）と、前記中央横鉛直面（１００）に対して接近及び離遠する前記後輪セット（１６）の前記右輪（２０Ｒ）の動きの液圧エネルギーへの変換及びその逆の変換を行う右後部液圧機械変換器アセンブリ（３０Ｒ）とを備える受動液圧車輪セットステアリングシステム（２６）と、
を備え、
前記受動液圧車輪セットステアリングシステム（２６）は、前記左前部液圧機械変換器アセンブリと前記右前部液圧機械変換器アセンブリと前記左後部液圧機械変換器アセンブリと前記右後部液圧機械変換器アセンブリとに液圧接続された制御弁アセンブリ（３２）を更に備え、該制御弁アセンブリ（３２）は、少なくとも第１の位置と第２の位置との間で移動可能であり、前記受動液圧車輪セットステアリングシステム（２６）は、前記中央横鉛直面に対して接近又は離遠する前記前輪セットの前記左輪及び前記右輪の移動と、前記前輪セットの前記左輪及び前記右輪の前記移動から独立した、前記中央横鉛直面に対して接近又は離遠する前記後輪セットの前記左輪及び前記右輪の移動とを可能にするために、前記制御弁アセンブリ（３２）の前記第１の位置において、前記左前部液圧機械変換器アセンブリ及び前記右前部液圧機械変換器アセンブリが前記左後部液圧機械変換器アセンブリ及び前記右後部液圧機械変換器アセンブリから接続解除されるようにするものであり、前記制御弁アセンブリ（３２）の前記第２の位置において、前記左前部液圧機械変換器アセンブリ及び前記右前部液圧機械変換器アセンブリのそれぞれは、前記左後部液圧機械変換器アセンブリ及び前記右後部液圧機械変換器アセンブリのうちの少なくともそれぞれ一方に接続されることを特徴とする、走行装置。
【請求項２】
請求項１に記載の走行装置（１０）であって、前記受動液圧車輪セットステアリングシステム（２６）は、少なくとも前記制御弁アセンブリ（３２）の前記第１の位置において、前記中央横鉛直面（１００）に接近する前記前輪セット（１４）の前記左輪及び前記右輪（１８Ｌ、１８Ｒ）のうちの一方の動きが、前記中央横鉛直面（１００）から離遠する前記前輪セット（１４）の前記左輪及び前記右輪（１８Ｌ、１８Ｒ）のうちの他方の動きをもたらし、前記中央横鉛直面（１００）に接近する前記後輪セット（１６）の前記左輪及び前記右輪（２０Ｌ、２０Ｒ）のうちの一方の動きが、前記中央横鉛直面（１００）から離遠する前記後輪セット（１６）の前記左輪及び前記右輪（２０Ｌ、２０Ｒ）のうちの他方の動きをもたらすようにするものである、走行装置。
【請求項３】
請求項２に記載の走行装置（１０）であって、前記受動液圧車輪セットステアリングシステム（２６）は、前記制御弁アセンブリ（３２）の前記第２の位置において、前記中央横鉛直面（１００）に接近する前記前輪セット（１４）の前記左輪及び前記右輪（１８Ｌ、１８Ｒ）のうちの一方の動きが、前記中央横鉛直面（１００）から離遠する前記前輪セット（１４）の前記左輪及び前記右輪（１８Ｌ、１８Ｒ）のうちの他方の動きをもたらし、前記中央横鉛直面（１００）に接近する前記後輪セット（１６）の前記左輪及び前記右輪（２０Ｌ、２０Ｒ）のうちの一方の動きが、前記中央横鉛直面（１００）から離遠する前記後輪セット（１６）の前記左輪及び前記右輪（２０Ｌ、２０Ｒ）のうちの他方の動きをもたらすようにするものである、走行装置。
【請求項４】
請求項１〜３のいずれか１項に記載の走行装置（１０）であって、前記受動液圧車輪セットステアリングシステム（２６）は、前記制御弁アセンブリ（３２）の前記第２の位置において、前記中央横鉛直面（１００）に対してそれぞれ接近及び離遠する前記前輪セット（１４）のそれぞれ前記左輪及び前記右輪の移動が、前記中央横鉛直面（１００）に対してそれぞれ接近及び離遠する前記後輪セット（１６）のそれぞれ前記左輪及び前記右輪の移動をもたらすようにするものである、走行装置。
【請求項５】
請求項１〜４のいずれか１項に記載の走行装置（１０）であって、前記受動液圧車輪セットステアリングシステム（２６）は、前記制御弁アセンブリ（３２）の前記第１の位置において、前記左前部液圧機械変換器アセンブリ及び前記右前部液圧機械変換器アセンブリが互いに接続され、前記左後部液圧機械変換器アセンブリ及び前記右後部液圧機械変換器アセンブリが互いに接続されるようにするものである、走行装置。
【請求項６】
請求項１〜５のいずれか１項に記載の走行装置（１０）であって、前記受動液圧車輪セットステアリングシステム（２６）は、前記制御弁アセンブリ（３２）の前記第２の位置において、前記左前部液圧機械変換器アセンブリ及び前記右前部液圧機械変換器アセンブリが互いから接続解除され、前記左後部液圧機械変換器アセンブリ及び前記右後部液圧機械変換器アセンブリが互いから接続解除されるようにするものである、走行装置。
【請求項７】
請求項１〜５のいずれか１項に記載の走行装置（１０）であって、前記受動液圧車輪セットステアリングシステム（２６）は、前記制御弁アセンブリ（３２）の前記第２の位置において、前記左前部液圧機械変換器アセンブリ及び前記右前部液圧機械変換器アセンブリが互いに接続され、前記左後部液圧機械変換器アセンブリ及び前記右後部液圧機械変換器アセンブリが互いに接続されるようにするものである、走行装置。
【請求項８】
請求項１〜７のいずれか１項に記載の走行装置（１０）であって、前記受動液圧車輪セットステアリングシステム（２６）は、前記制御弁アセンブリ（３２）の前記第２の位置において、前記左前部液圧機械変換器アセンブリ及び前記左後部液圧機械変換器アセンブリが互いに接続され、前記右前部液圧機械変換器アセンブリ及び前記右後部液圧機械変換器アセンブリが互いに接続されるようにするものである、走行装置。
【請求項９】
請求項１〜８のいずれか１項に記載の走行装置（１０）であって、前記受動液圧車輪セットステアリングシステム（２６）は、前記制御弁アセンブリ（３２）の前記第２の位置において、前記左前部液圧機械変換器アセンブリ及び前記右後部液圧機械変換器アセンブリが互いに接続され、前記右前部液圧機械変換器アセンブリ及び前記左後部液圧機械変換器アセンブリが互いに接続されるようにするものである、走行装置。
【請求項１０】
請求項１〜９のいずれか１項に記載の走行装置（１０）であって、前記前輪セット（１４）の前記左輪及び前記右輪（１８Ｌ、１８Ｒ）は、共通の前輪車軸（２２）に支持され、前記後輪セット（１６）の前記左輪及び前記右輪（２０Ｌ、２０Ｒ）は、共通の後輪車軸（２４）に支持される、走行装置。
【請求項１１】
請求項１〜１０のいずれか１項に記載の走行装置（１０）であって、軸ばねによって前記一対の車輪セット（１４、１６）に支持された台車フレーム（１２）を更に備える、走行装置。
【請求項１２】
請求項１０及び１１に記載の走行装置（１０）であって、前記前輪車軸（２２）及び前記後輪車軸（２４）のうちの少なくとも一方は、固定された鉛直回転軸の回りを前記前輪車軸（２２）及び前記後輪車軸（２４）のうちの前記一方を枢動させる機械的ピボットを介して前記走行装置（１０）の前記フレーム（１２）に枢動可能に接続される、走行装置。
【請求項１３】
請求項１０及び１１に記載の走行装置（１０）であって、前記走行装置（１０）の前記フレーム（１２）は、固定された鉛直回転軸の回りを前記前輪車軸（２２）及び前記後輪車軸（２４）のうちの前記一方を枢動させる機械的ピボットを伴わずに前記走行装置（１０）の前記フレーム（１２）に枢動可能に接続される、走行装置。
【請求項１４】
請求項１〜１３のいずれか１項に記載の複数の走行装置（１０）を備える鉄道車両。
【発明の詳細な説明】
【技術分野】
【０００１】
本発明は、受動液圧車輪セットステアリングシステムを備える鉄道車両の走行装置（running gear：ランニングギア）に関する。
【背景技術】
【０００２】
特許文献１に記載されている鉄道車両用の２軸台車（two-axle bogie）は、受動液圧車輪セットステアリングシステムを備える。この受動液圧車輪セットステアリングシステムは、前輪セットの左輪を台車の中央横鉛直面に対して接近及び離遠（toward and away from）させる一対の左前部液圧シリンダーと、前輪セットの右輪を中央横鉛直面に対して接近及び離遠させる一対の右前部液圧シリンダーと、後輪セットの左輪を中央横鉛直面に対して接近及び離遠させる一対の左後部液圧シリンダーと、後輪セットの左輪を中央横鉛直面に対して接近及び離遠させる一対の右後部液圧シリンダーと、中央横鉛直面に対してそれぞれ接近及び離遠する前輪セットのそれぞれ左輪及び右輪の移動が、中央横鉛直面に対してそれぞれ接近及び離遠する前輪セットのそれぞれ左輪及び右輪の移動をもたらすことを確保する液圧接続部とを備える。換言すれば、前輪セット及び後輪セットのステアリングは、鉄道線路の急カーブをうまく通り抜けるために連係される。しかしながら、このシステムは、緩やかなカーブ又は直線の鉄道線路上では、実質的な利点を有せず、むしろ、摩耗及び横加速度を増加させる傾向があることから、有害とみなされている。
【０００３】
特許文献２は、鉄道車両用の走行装置を開示している。この走行装置は、当該走行装置の中央横鉛直面の前側及び後側にそれぞれ前輪セット及び後輪セットを含む一対の車輪セットと、受動液圧車輪セットステアリングシステムとを備える。前輪セット及び後輪セットのそれぞれは、走行装置の中央縦鉛直面の左側及び右側にそれぞれ左輪及び右輪を有する。受動液圧車輪セットステアリングシステムは、中央横鉛直面に対して接近及び離遠する前輪セットの左輪の動きの液圧エネルギーへの変換及びその逆の変換を行う左前部液圧機械変換器アセンブリと、中央横鉛直面に対して接近及び離遠する前輪セットの右輪の動きの液圧エネルギーへの変換及びその逆の変換を行う右前部液圧機械変換器アセンブリと、中央横鉛直面に対して接近及び離遠する後輪セットの左輪の動きの液圧エネルギーへの変換及びその逆の変換を行う左後部液圧機械変換器アセンブリと、中央横鉛直面に対して接近及び離遠する後輪セットの右輪の動きの液圧エネルギーへの変換及びその逆の変換を行う右後部液圧機械変換器アセンブリと、左前部液圧機械変換器アセンブリと右前部液圧機械変換器アセンブリと左後部液圧機械変換器アセンブリと右後部液圧機械変換器アセンブリとに液圧接続された制御弁アセンブリとを備える。制御弁アセンブリは、それぞれが動作モードに対応する第１の位置、第２の位置及び第３の位置の間で移動可能である。第１の動作モードでは、走行装置の一方の側における各前部変換器は、２つの車輪セットがそれらのそれぞれの垂直軸の回りを反対方向に枢動するように走行装置の反対側における後部変換器に接続される。第２の動作モードでは、走行装置の一方の側における各前部変換器は、２つの車輪セットがそれらのそれぞれの垂直軸の回りを同じ方向に枢動するように走行装置の同じ側における変換器に接続される。第３の動作モードでは、各変換器は完全に切り離され、これは、車輪セットの枢動する動きが可能でないことを意味する。
【０００４】
車両速度又は鉄道線路の湾曲角度等の一連のパラメーターに応じて異なるステアリング動作を提供することができる他のより高性能な能動車輪セットステアリングシステムが知られている。しかしながら、車輪セットをステアリングする動力を送達するポンプ又はモーターを伴うそのような能動システムは、特に、公共輸送機関における鉄道車両に必要とされている信頼性及び可用性の高度な基準を考慮すると、初期コスト及びメンテナンスの双方の点でより多くのコストを要する。
【先行技術文献】
【特許文献】
【０００５】
【特許文献１】独国特許第３１２３８５８号
【特許文献２】欧州特許出願公開第２７６２３７７号
【発明の概要】
【発明が解決しようとする課題】
【０００６】
本発明は、単純さ及び低コストを引き続き維持する改良された車輪セットステアリング能力を有する走行装置を提供することを目的とする。
【課題を解決するための手段】
【０００７】
本発明の第１の態様によれば、鉄道車両の走行装置であって、
該走行装置の中央横鉛直面の前側及び後側にそれぞれ前輪セット及び後輪セットを含む少なくとも一対の車輪セットであって、前記前輪セット及び前記後輪セットのそれぞれは、該走行装置の中央縦鉛直面の左側及び右側にそれぞれ左輪及び右輪を有する、一対の車輪セットと、
受動液圧車輪セットステアリングシステムであって、
前記中央横鉛直面に対して接近及び離遠する前記前輪セットの前記左輪の動きの液圧エネルギーへの変換及びその逆の変換を行う左前部液圧機械変換器アセンブリと、前記中央横鉛直面に対して接近及び離遠する前記前輪セットの前記右輪の動きの液圧エネルギーへの変換及びその逆の変換を行う右前部液圧機械変換器アセンブリと、前記中央横鉛直面に対して接近及び離遠する前記後輪セットの前記左輪の動きの液圧エネルギーへの変換及びその逆の変換を行う左後部液圧機械変換器アセンブリと、前記中央横鉛直面に対して接近及び離遠する前記後輪セットの前記右輪の動きの液圧エネルギーへの変換及びその逆の変換を行う右後部液圧機械変換器アセンブリと、
前記左前部液圧機械変換器アセンブリと前記右前部液圧機械変換器アセンブリと前記左後部液圧機械変換器アセンブリと前記右後部液圧機械変換器アセンブリとに液圧接続された制御弁アセンブリであって、該制御弁アセンブリは、少なくとも第１の位置と第２の位置との間で移動可能であり、前記受動液圧車輪セットステアリングシステムは、前記中央横鉛直面に対して接近又は離遠する前記前輪セットの前記左輪及び前記右輪の移動と、前記前輪セットの前記左輪及び前記右輪の前記移動から独立した、前記中央横鉛直面に対して接近又は離遠する前記後輪セットの前記左輪及び前記右輪の移動とを可能にするために、前記制御弁アセンブリの前記第１の位置において、前記左前部液圧機械変換器アセンブリ及び前記右前部液圧機械変換器アセンブリが前記左後部液圧機械変換器アセンブリ及び前記右後部液圧機械変換器アセンブリから接続解除されるようにするものであり、前記制御弁アセンブリの前記第２の位置において、前記左前部液圧機械変換器アセンブリ及び前記右前部液圧機械変換器アセンブリのそれぞれは、前記左後部液圧機械変換器アセンブリ及び前記右後部液圧機械変換器アセンブリのうちの少なくともそれぞれ一方に接続される（wherein in the second position of the control valve assembly, each of the front left and right hydro-mechanical converter assemblies is connected to at least a respective one of the rear left and right hydro-mechanical converter assemblies）、受動液圧車輪セットステアリングシステムと、
を備える、走行装置が提供される。
【０００８】
制御弁アセンブリの第１の位置では、前部液圧機械変換器アセンブリと後部液圧機械変換器アセンブリとの間に、液圧接続、すなわち、液圧流体又は圧力の伝達はない。したがって、中央横鉛直面に対して接近又は離遠する前輪セットの左輪及び右輪の移動は、中央横鉛直面に対して接近又は離遠する後輪セットの左輪及び右輪の移動から独立している。この第１の動作方式（modus）は、特に、直線の鉄道線路及び緩やかなカーブに適合している。制御弁アセンブリの第２の位置では、前輪セットの液圧機械変換器アセンブリと後輪セットの液圧機械変換器アセンブリとの間に圧力又は液圧流体の伝達がある。この第２の動作方式は急カーブに専用化される。液圧ステアリングシステムの構造は単純なものに保たれる。なぜならば、この構造は受動的であるからである。すなわち、ポンプもモーターも、液圧機械変換器アセンブリの動きに必要とされず、これらのアセンブリは、鉄道線路によって車輪に印加される外力の結果として移動されるからである。
【０００９】
好ましくは、前記受動液圧車輪セットステアリングシステムは、少なくとも前記制御弁アセンブリの前記第１の位置において、前記中央横鉛直面に接近する前記前輪セットの前記左輪及び前記右輪のうちの一方の動きが、前記中央横鉛直面から離遠する前記前輪セットの前記左輪及び前記右輪のうちの他方の動きをもたらし、前記中央横鉛直面に接近する前記後輪セットの前記左輪及び前記右輪のうちの一方の動きが、前記中央横鉛直面から離遠する前記後輪セットの前記左輪及び前記右輪のうちの他方の動きをもたらすようにするものである。好ましくは、前記受動液圧車輪セットステアリングシステムは、前記制御弁アセンブリの前記第１の位置において、前記中央横鉛直面に接近する前記前輪のうちの一方の前記動きが、前記中央横鉛直面から離遠する他方の前輪の前記動きと同じ大きさを有し、前記中央横鉛直面に接近する前記後輪のうちの一方の前記動きが、前記中央横鉛直面から離遠する他方の後輪の前記動きと同じ大きさを有するようにするものである。
【００１０】
好ましい実施の形態によれば、前記受動液圧車輪セットステアリングシステムは、前記制御弁アセンブリの前記第２の位置において、前記中央横鉛直面に接近する前記前輪セットの前記左輪及び前記右輪のうちの一方の動きが、前記中央横鉛直面から離遠する前記前輪セットの前記左輪及び前記右輪のうちの他方の動きをもたらし、前記中央横鉛直面に接近する前記後輪セットの前記左輪及び前記右輪のうちの一方の動きが、前記中央横鉛直面から離遠する前記後輪セットの前記左輪及び前記右輪のうちの他方の動きをもたらすようにするものである。前記受動液圧車輪セットステアリングシステムは、好ましくは、前記制御弁アセンブリの前記第２の位置において、前記中央横鉛直面に接近する前記前輪のうちの一方の前記動きが、前記中央横鉛直面から離遠する他方の前輪の前記動きと同じ大きさを有し、前記中央横鉛直面に接近する前記後輪のうちの一方の前記動きが、前記中央横鉛直面から離遠する他方の後輪の前記動きと同じ大きさを有するようにするものである。
【００１１】
好ましくは、前記受動液圧車輪セットステアリングシステムは、前記制御弁アセンブリの前記第２の位置において、前記中央横鉛直面に対してそれぞれ接近及び離遠する前記前輪セットのそれぞれ前記左輪及び前記右輪の移動が、前記中央横鉛直面に対してそれぞれ接近及び離遠する前記後輪セットのそれぞれ前記左輪及び前記右輪の移動をもたらすようにするものである。好ましくは、前記受動液圧車輪セットステアリングシステムは、前記制御弁アセンブリの前記第２の位置において、前記中央横鉛直面に対してそれぞれ接近及び離遠する前記前輪セットのそれぞれ前記左輪及び前記右輪の移動が、前記中央横鉛直面に対してそれぞれ接近及び離遠する前記前輪セットのそれぞれ前記左輪及び前記右輪の同じ大きさの移動をもたらすようにするものである。
【００１２】
好ましい実施の形態によれば、前記受動液圧車輪セットステアリングシステムは、前記制御弁アセンブリの前記第１の位置において、前記左前部液圧機械変換器アセンブリ及び前記右前部液圧機械変換器アセンブリが互いに接続され、前記左後部液圧機械変換器アセンブリ及び前記右後部液圧機械変換器アセンブリが互いに接続されるようにするものである。
【００１３】
１つの実施の形態によれば、前記受動液圧車輪セットステアリングシステムは、前記制御弁アセンブリの前記第２の位置において、前記左前部液圧機械変換器アセンブリ及び前記右前部液圧機械変換器アセンブリが互いから接続解除され、前記左後部液圧機械変換器アセンブリ及び前記右後部液圧機械変換器アセンブリが互いから接続解除されるようにするものである。
【００１４】
代替的な実施の形態によれば、前記受動液圧車輪セットステアリングシステムは、前記制御弁アセンブリの前記第２の位置において、前記左前部液圧機械変換器アセンブリ及び前記右前部液圧機械変換器アセンブリが互いに接続され、前記左後部液圧機械変換器アセンブリ及び前記右後部液圧機械変換器アセンブリが互いに接続されるようにするものである。
【００１５】
好ましくは、前記受動液圧車輪セットステアリングシステムは、前記制御弁アセンブリの前記第２の位置において、前記左前部液圧機械変換器アセンブリ及び前記左後部液圧機械変換器アセンブリが互いに接続され、前記右前部液圧機械変換器アセンブリ及び前記右後部液圧機械変換器アセンブリが互いに接続されるようにするものである。
【００１６】
１つの実施の形態によれば、前記受動液圧車輪セットステアリングシステムは、前記制御弁アセンブリの前記第２の位置において、前記左前部液圧機械変換器アセンブリ及び前記右後部液圧機械変換器アセンブリが互いに接続され、前記右前部液圧機械変換器アセンブリ及び前記左後部液圧機械変換器アセンブリが互いに接続されるようにするものである。
【００１７】
各液圧機械変換器アセンブリは、中央横鉛直面に対して接近又は離遠する関連した車輪の動きに起因する力学的（mechanical：機械的）エネルギーを液圧エネルギー変換することができるとともに、逆に液圧エネルギーを、関連した車輪を中央横鉛直面に対して接近移動又は離遠移動させる力学的エネルギーに変換することができる。各液圧機械変換器アセンブリは、１つ以上の複動液圧機械変換器、例えばシリンダー、及び／又は、１つ以上の単動液圧機械変換器、例えば単動シリンダーを備えることができる。好ましい実施の形態によれば、各液圧機械変換器アセンブリは、単一の複動液圧シリンダーからなる。別の好ましい実施の形態によれば、各液圧機械変換器アセンブリは、２つの複動液圧シリンダーからなり、一方は、前記中央横鉛直面に接近する前記関連した車輪の移動を液圧変換するためのものであり、他方は、前記中央横鉛直面から離遠する前記関連した車輪の移動を液圧変換するためのものである。
【００１８】
１つの実施の形態によれば、前記制御弁アセンブリは、単一の２位置制御弁から構成されてもよい。ただし、２つ以上の弁を有する代替形態も可能である。前記制御弁アセンブリは、例えば、車両速度、横加速度、鉄道線路の曲率半径、車体に対する走行装置の位置を表すことができる信号又はこれらの変数のうちの１つ以上の関数とすることができる信号の関数として、任意の既知の電気制御手段、機械制御手段、空気圧制御手段、又は液圧制御手段によって作動させることができる。
【００１９】
好ましい実施の形態によれば、前記前輪セットの前記左輪及び前記右輪は、共通の前輪車軸に支持され、前記後輪セットの前記左輪及び前記右輪は、共通の後輪車軸に支持される。前記車輪車軸は、ピボット（pivot）又は仮想鉛直枢動軸（imaginary vertical pivot axis）によって実現される固定された鉛直枢動軸を有していてもよい。代替的に、各車輪セットは、例えば、米国特許出願公開第２０１０／０２９４１６３号に開示されているように、共通の車軸を有しない個別の左輪及び右輪から構成することができる。
【００２０】
好ましい実施の形態によれば、前記走行装置は、少なくとも２つの車輪セットを有する台車であり、軸ばねによって前記一対の車輪セットに支持された台車フレームを備える。
【００２１】
１つの実施の形態によれば、前記前輪車軸及び前記後輪車軸のうちの少なくとも一方は、固定された鉛直回転軸の回りを前記前輪車軸及び前記後輪車軸のうちの前記一方を枢動させる（pivoting）機械的ピボットを介して前記走行装置の前記フレームに枢動可能に接続される（pivotally connected）。代替的に、前記走行装置の前記フレームは、固定された鉛直回転軸の回りを前記前輪車軸及び前記後輪車軸のうちの前記一方を枢動させる機械的ピボットを伴わずに前記走行装置の前記フレームに枢動可能に接続される。
【００２２】
本発明の別の態様によれば、上に記載の複数の走行装置を備える鉄道車両が提供される。
【００２３】
さらに、本発明の他の利点及び特徴は、単に非限定的な例として与えられているにすぎず、添付図面に表されている本発明の具体的な実施形態の以下の説明からより明瞭に明らかとなる。
【図面の簡単な説明】
【００２４】
【図１】第１の動作モードにおける、本発明の第１の実施形態による鉄道車両の走行装置の概略説明図である。
【図２】第２の動作モードにおける、本発明の第１の実施形態による走行装置の概略説明図である。
【図３】第１の動作モードにおける、本発明の第２の実施形態による鉄道車両の走行装置の概略説明図である。
【図４】第２の動作モードにおける、本発明の第２の実施形態による走行装置の概略説明図である。
【発明を実施するための形態】
【００２５】
対応する参照符号は、図のそれぞれにおける同じ部分又は対応する部分を参照する。
【００２６】
図１及び図２を参照すると、鉄道車両の走行装置１０、より具体的には台車は、軸ばね（図示せず）によって一対の前輪セット１４及び後輪セット１６上に支持された台車フレーム１２を備える。前輪セット１４及び後輪セット１６は、走行装置１０の中央横鉛直面１００の前側及び後側にそれぞれ配置されている。前輪セット１４は、走行装置１０の中央縦鉛直面２００の左側及び右側にそれぞれ左輪１８Ｌ及び右輪１８Ｒと、これらの左輪１８Ｌ及び右輪１８Ｒが取り付けられる（又は左輪及び右輪と一体化することができる）車軸２２とを備え、後輪セット１６は、走行装置１０の中央縦鉛直面２００の左側及び右側にそれぞれ左輪２０Ｌ及び右輪２０Ｒと、これらの左輪２０Ｌ及び右輪２０Ｒが取り付けられる（又は左輪及び右輪と一体化することができる）車軸２４とを備える。各車軸２２、２４は、駆動車軸とすることもできるし、固定車軸（dead axle）とすることもできる。
【００２７】
台車１０には、受動液圧車輪セットステアリングシステム２６が更に備えられている。この受動液圧車輪セットステアリングシステムは、中央横鉛直面１００に対して接近及び離遠する前輪セット１４の左輪１８Ｌの動きの液圧エネルギーへの変換及びその逆の変換を行う単一の複動シリンダーからなる左前部液圧機械変換器アセンブリ２８Ｌと、中央横鉛直面１００に対して接近及び離遠する前輪セット１４の右輪１８Ｒの動きの液圧エネルギーへの変換及びその逆の変換を行う単一の複動シリンダーからなる右前部液圧機械変換器アセンブリ２８Ｒと、中央横鉛直面１００に対して接近及び離遠する後輪セット１６の左輪２０Ｌの動きの液圧エネルギーへの変換及びその逆の変換を行う単一の複動シリンダーからなる左後部液圧機械変換器アセンブリ３０Ｌと、中央横鉛直面１００に対して接近及び離遠する後輪セット１６の右輪２０Ｒの動きの液圧エネルギーへの変換及びその逆の変換を行う単一の複動シリンダーからなる右後部液圧機械変換器アセンブリ３０Ｒとを備える。
【００２８】
受動液圧車輪セットステアリングシステム２６は、制御弁アセンブリ３２を更に備える。この制御弁アセンブリは、左前部液圧シリンダーと右前部液圧シリンダーと左後部液圧シリンダーと右後部液圧シリンダーとに液圧ラインによって液圧接続された単一の１２ポート２位置制御弁３２として示されている。より具体的には、各液圧シリンダーは、前部チャンバー及び後部チャンバーを備え、各チャンバーは、制御弁３２のポートのうちの１つ又は２つに直接ラインによって接続されている。
【００２９】
制御弁３２は、図１に示す第１の位置と図２に示す第２の位置との間で移動可能である。
【００３０】
図１における制御弁３２の第１の位置では、左前部液圧シリンダー２８Ｌ及び右前部液圧シリンダー２８Ｒは、左後部液圧シリンダー３０Ｌ及び右後部液圧シリンダー３０Ｒから切り離され、２つの完全に独立した液圧回路、すなわち、前輪セット１４の２つの液圧シリンダー２８Ｌ、２８Ｒの間の前部回路３４Ｆと、後輪セット１６の２つの液圧シリンダーの間の後部回路３４Ｒとが形成される。より具体的には、前輪セット１４の左液圧シリンダー２８Ｌ及び右液圧シリンダー２８Ｒの前部チャンバー（すなわち、図１における左に向かって台車１０の前部に最も近いチャンバー）は互いに接続され、前輪セット１４の左液圧シリンダー２８Ｌ及び右液圧シリンダー２８Ｒの後部チャンバー（すなわち、図１における右に向かって台車１０の後部に最も近いチャンバー）は互いに接続され、後輪セット１６の左液圧シリンダー３０Ｌ及び右液圧シリンダー３０Ｒの前部チャンバーは互いに接続され、後輪セット１６の左液圧シリンダー３０Ｌ及び右液圧シリンダー３０Ｒの後部チャンバーは互いに接続されている。したがって、車輪１８Ｌ、１８Ｒと鉄道線路との間の接触力に起因して前輪セット１４の左輪１８Ｌ及び右輪１８Ｒのうちの一方が中央横鉛直面１００に接近する動きは、前輪セット１４の左輪１８Ｌ及び右輪１８Ｒのうちの他方が中央横鉛直面１００から離遠する連係された動きをもたらし、後輪セット１６の左輪２０Ｌ及び右輪２０Ｒのうちの一方が中央横鉛直面１００に接近する動きは、後輪セット１６の左輪２０Ｌ及び右輪２０Ｒのうちの他方が中央横鉛直面１００から離遠する動きをもたらす。
【００３１】
図２における制御弁３２の第２の位置では、左前部液圧シリンダー２８Ｌ及び左後部液圧シリンダー３０Ｌは、互いに接続されるとともに、右前部液圧シリンダー２８Ｒ及び右後部液圧シリンダー３０Ｒから接続解除され、右前部液圧シリンダー２８Ｒ及び右後部液圧シリンダー３０Ｒは、互いに接続される。２つの独立した液圧回路、すなわち、中央縦鉛直面２００の左側における液圧シリンダー２８Ｌ、３０Ｌ用の左回路３６Ｌと、中央縦鉛直面２００の右側における液圧シリンダー２８Ｒ、３０Ｒ用の右回路３６Ｒとが形成される。より具体的には、中央縦鉛直面２００の左側における前輪セット１４及び後輪セット１６の液圧シリンダー２８Ｌ、３０Ｌの前部チャンバーは互いに接続され、中央縦鉛直面２００の左側における前輪セット１４及び後輪セット１６の液圧シリンダー２８Ｌ、３０Ｌの後部チャンバーも同様である。同じことは右側にも当てはまる。これらの接続を用いると、前輪セット１４のステアリングの動きは、後輪セット１６のステアリングの動きと連係される。したがって、車輪１８Ｌ、１８Ｒと鉄道線路との間の接触力に起因して前輪セット１４の車輪１８Ｌが中央横鉛直面１００に対して接近（又は離遠）する動きは、後輪セット１６の左輪２０Ｌが中央横鉛直面１００に対して接近（又は離遠）する連係された動きをもたらし、前輪セット１４の右輪１８Ｒが中央横鉛直面１００に対して接近（又は離遠）する動きは、後輪セット１６の右輪２０Ｒが中央横鉛直面１００に対して接近（又は離遠）する動きをもたらす。
【００３２】
制御弁３２は、制御ユニット３８に接続された電動弁である。この電動弁は、様々なセンサー４０、例えば、ＧＰＳユニット、横加速度計、車両速度センサーから信号を受信して、図１における制御弁３２の位置に対応する「直線」動作モードと、図２における制御弁３２の位置に対応する「急カーブ」動作モードとの間で制御弁３２を切り替えることができる。
【００３３】
受動液圧車輪セットステアリングシステム２６は、次のように動作する。図１の「直線」動作モードでは、前輪セット１４及び後輪セット１６は互いに独立している。前部液圧回路３４Ｆは、中央縦鉛直面２００に位置する前部仮想鉛直枢動軸の回りでの前輪セット１４の左輪１８Ｌ及び右輪１８Ｒの連係された移動を可能にする。同様に、後部液圧回路３４Ｒは、中央縦鉛直面２００に位置し、上記前部仮想枢動軸から離間した後部仮想鉛直枢動軸の回りでの後輪セット１６の左輪２０Ｌ及び右輪２０Ｒの連係された移動を可能にする。前部仮想鉛直枢動軸の回りの前輪セット１４の回転動きは、後部仮想鉛直枢動軸の回りの後輪セット１６の回転から独立しているので、各車輪セットは、緩やかなカーブでは、それ自体の最適な（わずかに過剰半径の（over-radial））位置を見出すことができる。
【００３４】
「急カーブ」動作モードでは、左回路３６Ｌは、中央横鉛直面１００に対して接近（又は離遠）する前輪１８Ｌの動きが、中央横鉛直面１００に対して接近（又は離遠）する後輪２０Ｌの同じ大きさ（amplitude：振幅）の連係した動きをもたらすように、前輪セット１４の左輪１８Ｌ及び後輪セット１６の左輪２０Ｌの連係した動きを可能にする。同様に、右回路３６Ｒは、中央横鉛直面１００に対して接近（又は離遠）する前輪１８Ｒの動きが、中央横鉛直面１００に対して接近（又は離遠）する後輪２０Ｒの同じ大きさの連係した動きをもたらすように、前輪セット１４の右輪１８Ｒ及び後輪セット１６の右輪２０Ｒの連係した動きを可能にする。一方、左回路３６Ｌ及び右回路３６Ｆは、独立した状態にあり、これは、各車輪セット１４、１６の瞬時の動きが、仮想瞬時鉛直枢動軸（必ずしも中央縦鉛直面２００に位置していない）の回りの回転と、中央横鉛直面１００に対して接近又は離遠する縦方向における並進とを組み合わせたものとすることができることを意味する。自由度の数は、２つのモードにおいて同じであるが、「急カーブ」動作モードは、鉄道線路上を進む車輪の反動によって引き起こされる鉛直軸の回りの或る方向における前輪セット１４の回転が、反対方向における後輪セット１６の回転をもたらすことを確保する、前輪セット１４と後輪セット１６との間の連係を提供し、これは、急カーブにおいて有利である。
【００３５】
一方の動作モードから他方の動作モードへの弁の切り替えは、ステアリング性能を損なうものではない。直線の鉄道線路又は緩やかなカーブから急カーブへの移行では、ステアリングシステムは、最初は「直線」動作モードにあり、車輪セットは、制御弁３２が「急カーブ」動作モードに切り替えられる前に、わずかに過剰半径の位置において自由に枢動する。制御弁３２が「急カーブ」動作モードに切り替えられると、前輪セット及び後輪セットのその後の回転は連係される。急カーブから直線鉄道線路に再び移行する際に、２つの車輪セット１４、１６は、ステアリングシステムが「急カーブ」動作モードから「直線」動作モードに再び切り替えられる前に直線位置に戻る。
【００３６】
図３及び図４に示す走行装置１０は、図１及び図２の走行装置と同様のものであり、繰り返しを避けるために、走行装置の構造の説明は、図１及び図２のものを参照されたい。双方のアセンブリの間の唯一の相違は、制御弁アセンブリ３２と、左前部液圧シリンダー２８Ｌ、右前部液圧シリンダー２８Ｒ、左後部液圧シリンダー３０Ｌ及び右後部液圧シリンダー３０Ｒを連結する液圧ラインとにある。制御弁アセンブリ３２は、単一の４ポート２位置制御弁又は４ポート３位置制御弁からなり、この制御弁は、前輪セット１４の２つの液圧シリンダー２８Ｌ、２８Ｒの後部チャンバーと、後輪セット１６の２つの液圧シリンダー３０Ｌ、３０Ｒの前部チャンバーとに接続されている。前輪セット１４の左液圧シリンダー２８Ｌ及び右液圧シリンダー２８Ｒの前部チャンバーは、互いに永久接続されている。同様に、後輪セット１６の左液圧シリンダー３０Ｌ及び右液圧シリンダー３０Ｒの後部チャンバーは、互いに永久接続されている。
【００３７】
制御弁３２は、図３に示す第１の位置と図４に示す第２の位置との間で移動可能である。
【００３８】
図３における制御弁３２の第１の位置では、左前部液圧シリンダー２８Ｌ及び右前部液圧シリンダー２８Ｒは、左後部液圧シリンダー３０Ｌ及び右後部液圧シリンダー３０Ｒから切り離され、２つの完全に独立した液圧回路が形成される。これらの液圧回路は、図１における回路、すなわち、前輪セット１４の２つの液圧シリンダー２８Ｌ、２８Ｒの間の前部回路３４Ｆ及び後輪セット１６の２つの液圧シリンダーの間の後部回路３４Ｒと機能的に同一である。
【００３９】
図４における制御弁の第２の位置では、交差液圧回路４２が形成される。前輪セット１４の左液圧シリンダー２８Ｌの後部チャンバーは、後輪セット１６の右液圧シリンダー３０Ｒの前部チャンバーと接続される一方、前輪セット１４の右液圧シリンダー２８Ｒの後部チャンバーは、後輪セット１６の左液圧シリンダー３０Ｌの前部チャンバーと接続される。前輪セット１４の左液圧シリンダー２８Ｌ及び右液圧シリンダー２８Ｒの前部チャンバーは引き続き互いに接続され、後輪セット１６の左液圧シリンダー３０Ｌ及び右液圧シリンダー３０Ｒの後部チャンバーは互いに接続されるので、この液圧システムは、１自由度のみ有する。すなわち、前輪セット１４及び後輪セット１６は、それらのそれぞれの仮想鉛直枢動軸の回りを反対方向にのみ回転することができる。
【００４０】
制御弁３２は、図３における制御弁３２の位置に対応するとともに図１に関して論述した「直線」動作モードと同一である「直線」動作モードと、図４における制御弁３２の位置に対応する「急カーブ」動作モードとの間で動作させることができる。
【００４１】
「急カーブ」動作モードでは、前輪セット１４の左液圧シリンダー２８Ｌの前部チャンバーと右液圧シリンダー２８Ｒの前部チャンバーとの間の直接接続は、中央横鉛直面１００に対して接近（又は離遠）する前輪セット１４の左輪１８Ｌの動きが、中央横鉛直面１００に対して離遠（又は接近）する前輪セット１４の右輪１８Ｒの同じ大きさの動きをもたらすことを確保する。したがって、前輪セット１４の動きは、必然的に、中央縦鉛直面２００に位置する前部仮想鉛直枢動軸の回りの回転動きとなる。同様に、後輪セット１６の動きは、必然的に、中央縦鉛直面２００に位置する後部仮想鉛直枢動軸の回りの回転動きとなる。前輪セット１４及び後輪セット１６の動きは、連係するが、逆になっている。すなわち、或る方向における前輪セット１４の回転は、反対方向における後輪セット１６の回転をもたらす。
【００４２】
上記例は、本発明の好ましい実施形態を示しているが、様々な他の構成も考えることができることに留意されたい。
【００４３】
第１の実施形態の一変形形態として、上記車輪セットのうちの一方は、固定された鉛直枢動軸を規定する機械的枢動接続（mechanical pivot connection）を介して台車フレームに機械的に接続されてもよい。この固定された枢動軸は、「直線」動作モードにおけるステアリングシステムの動作を変更しないが、「急カーブ」動作モードにおける車輪セットの並進動き（translation motions）を妨げる。車輪セットごとに１つの機械的枢動接続を設ける必要はない。なぜならば、「急カーブ」動作モードにおける前輪セット１４及び後輪セット１６の動きは、液圧で連係されるからである。
【００４４】
制御弁３２は、例えば、台車フレーム１２に対して横方向に移動することが可能にされた慣性質量体を介して機械的に又は液圧で動作させることができる。
【００４５】
各液圧機械変換器アセンブリ２８Ｌ、２８Ｒ、３０Ｌ、３０Ｒは、戻しばね付き又は戻しばねなしの２つの単動シリンダーから構成されてもよい。また、それらは、例えば、国際公開第２００７／０９０８２５号に開示されているようなピストン変換器から構成されてもよい。
【００４６】
制御弁アセンブリ３２は、数個の弁から構成されてもよい。受動液圧車輪セットステアリングシステム２６は、車輪セットのヨーイング移動を安定させる液圧減衰手段、例えば、制限部（restrictions：狭窄部）を備えてもよい。
【００４７】
受動液圧車輪セットステアリングシステム２６は、車輪セット１４、１６をステアリングするポンプを伴わない限りにおいて受動システムである。ただし、これは、液圧システムを液圧で切り離さなければならないことを意味するものではない。ポンプ及びタンクへの接続は、液圧回路における漏れを補償することが必要とされる場合がある。
【００４８】
走行装置は、必ずしも台車ではない。液圧機械変換器アセンブリ２８Ｌ、２８Ｒ、３０Ｌ、３０Ｒは、例えば、台車フレームが介在することなく客車の台枠に直接固定することができる。
【００４９】
受動液圧車輪セットステアリングシステム２６は、２軸台車に適用されているが、他の種類の走行装置、特に、追加の中央のステアリング不能車軸を有する３軸台車も、このシステムから利益を受けることができる。
【図１】
2018534194.tif 000003
【図２】
2018534194.tif 000004
【図３】
2018534194.tif 000005
【図４】
2018534194.tif 000006
【国際調査報告】
2018534194.tif 000007
2018534194.tif 000008